(57)【要約】【課題】基準紙である反射部材を紙幣投入口から投入して紙幣搬送路内を搬送させることなく、反射型光センサーの出力調整を行うことができ、またこれにより任意の場所や時期に該出力調整を行うことができる紙幣識別装置を提供する。【解決手段】紙幣識別装置１の紙幣識別用の光センサーＡ、Ｂをミラーモードと透明モードとに選択可能な調光ミラーガラス２１、２６で覆っている。この紙幣識別センサーＡ、Ｂは反射型光センサーとして紙幣搬送路２に相対するように一対に配置されており、一方のセンサーＡの出力を調整する場合は、該センサーＡを覆う調光ミラーガラス２１を透明モードにするとともに他方の反射型光センサーＢを覆う調光ミラーガラス２６をミラーモードにし、一方のセンサーＡから照射する光を、他方のセンサーＢのミラーモードの調光ミラーガラス２６に照射させ、その反射光により前記出力を調整するようにしている。【選択図】図１
2007280027.tif 000002
【特許請求の範囲】
【請求項１】
紙幣識別センサーにより紙幣の正偽を識別する紙幣識別装置において、
紙幣識別用の光センサーを、ミラーモードと透明モードとに選択可能な調光ミラーガラスで覆うようにしたことを特徴とする紙幣識別装置。
【請求項２】
前記紙幣識別センサーは、反射型光センサーとして紙幣搬送路に相対するように一対に配置されており、
このうちの一方の反射型光センサーの出力を調整する場合は、該一方の反射型光センサーを覆う調光ミラーガラスを透明モードにするとともに他方の反射型光センサーを覆う調光ミラーガラスをミラーモードにし、前記一方の反射型光センサーから照射する光を、前記他方の反射型光センサーのミラーモードの調光ミラーガラスに照射させ、該照射による反射光により、前記出力を調整するようにしたことを特徴とする請求項（１）記載の紙幣識別装置。
【発明の詳細な説明】
【技術分野】
【０００１】
本発明は、自動販売機、両替機、パチンコ玉貸機、メタル貸機等（以下、「自動販売機等」という。）に使用される紙幣識別装置に関するものである。
【背景技術】
【０００２】
一般に紙幣（クーポン券等を含む）を取り扱う自動販売機等の機器本体内には、紙幣挿入口から挿入された紙幣の濃淡を検出して該紙幣の真偽を判別する紙幣識別装置が配設されている。  
この従来の紙幣識別装置には、反射型光センサーを具えてなるものがある（例えば、特許公報１参照。）。  
この反射型光センサーは発光素子と受光素子とからなり、従来の紙幣識別装置では、該反射型光センサーは紙幣挿入口に連通する紙幣搬送路に配設されている。  
この紙幣識別装置では、反射型光センサーの発光素子から、紙幣搬送路を通過している紙幣に光を照射し、該紙幣からの反射光を反射型光センサーの受光素子で検出して紙幣の真偽を判別する。
【０００３】
また従来から紙幣識別装置を出荷する場合には、搭載される反射型光センサーの出力電圧を規定内とする作業、すなわち、いわゆる出力調整作業を行うようにしている。  
この出力調整を行うには、まず紙幣投入口から基準紙である反射部材、例えば白色紙を投入し、紙幣搬送路内を搬送させる。次に、反射型光センサーの発光素子を規定の駆動電流によって駆動して、紙幣搬送路を通過している反射部材に光を照射し、該反射部材により反射した光を受光素子によって検出する。そして、この検出結果に基づき、発光素子の出力電圧が規定内にない場合には、発光素子の駆動電流の値を変更して発光素子の出力電圧が規定内になるようにする。  
なお、発光素子の出力電圧が規定内にある場合には発光素子の駆動電流の値は変更しないようにする。  
このように出力調整された後の駆動電流によって紙幣の真偽判別を行うと該紙幣の真偽判別が可及的に正確に行われる。
【特許文献１】特開２００４−２２７０９３号公報
【発明の開示】
【発明が解決しようとする課題】
【０００４】
上述した従来の紙幣識別装置では、反射型光センサーの出力調整を行うには、紙幣投入口から基準紙である反射部材を投入し紙幣搬送路内を搬送させる必要があった。そのため、反射型光センサーの出力調整作業が煩雑であり、またその調整作業は工場において紙幣識別装置の出荷前にしか行うことができないという難点があった。
【０００５】
上述した事情に鑑み、この発明は、基準紙である反射部材を紙幣投入口から投入して紙幣搬送路内を搬送させることなく、反射型光センサーの出力調整を行うことができ、これにより任意の場所や時期に該出力調整を行うことができる紙幣識別装置を提供することを目的とする。
【課題を解決するための手段】
【０００６】
上述した課題を解決するため、この発明の紙幣識別装置は、紙幣識別センサーにより紙幣の正偽を識別する紙幣識別装置において、紙幣識別用の光センサーを、ミラーモードと透明モードとに選択可能な調光ミラーガラスで覆うようにしている。
【発明の効果】
【０００７】
本願発明の紙幣識別装置は、紙幣識別用の光センサーを、ミラーモードと透明モードとに選択可能な調光ミラーガラスで覆うようにしているから、調光ミラーガラスをミラーモードにして、該紙幣識別用の光センサーから照射する光をミラーモードの調光ミラーガラスに照射させ、該照射による反射光によって、該紙幣識別用の光センサーの出力を調整することができ、該出力調整作業には、基準紙である反射部材を紙幣挿入口から投入し紙幣搬送路内を搬送させる動作を必要としない。したがって、任意の場所や時期に該出力調整作業を行うことができる。
【発明を実施するための最良の形態】
【０００８】
以下、この発明の紙幣識別装置の実施例を、添付図面を参照して詳細に説明する。
【実施例１】
【０００９】
図１は、この発明の第一実施例の紙幣識別装置の要部概念断面図であり、特に第一の紙幣識別用の光センサーの出力調整をする動作を示す図である。  
図１で示すように、第一実施例の紙幣識別装置１には、図示せぬ紙幣挿入口に連通して紙幣搬送路２が配設されている。  
この紙幣搬送路２には、第一の紙幣識別用の光センサーＡと、第二の紙幣識別用の光センサーＢとが配設されている。
【００１０】
この第一の紙幣識別用の光センサー（以下、単に「第一のセンサー」という。）Ａと第二の紙幣識別用の光センサー（以下、単に「第二のセンサー」という。）Ｂは、紙幣搬送路２を挟んで該紙幣搬送路２に相対するように一対に配置されている。  
また、第一のセンサーＡは、発光素子Ａ１と受光素子Ａ２とから構成された反射型光センサーからなる。また第二のセンサーＢは、発光素子Ｂ１と受光素子Ｂ２とから構成された反射型光センサーからなる。この第一のセンサーＡと第二のセンサーＢは、互いに同一構造であり、第一のセンサーＡ及び第二のセンサーＢの各発光素子はＬＥＤから構成されている。
【００１１】
また、第一のセンサーＡは、電気的制御によりミラーモードと透明モードとに選択可能な第一の調光ミラーガラス２１で覆われている。また、第二のセンサーＢは、電気的制御によりミラーモードと透明モードとに選択可能な第二の調光ミラーガラス２６で覆われている。  
なお、第一の調光ミラーガラス２１と第二の調光ミラーガラス２６は、互いに同一構造である。  
また、上記調光ミラーガラスは、エレクトロミック材料を使用したものであり、電気的制御により、照射光を反射するミラーモードと、照射光を透過する透明モードとの間を自由に変化させることができるものとして知られている。
【００１２】
図２は、この発明の第一実施例の紙幣識別装置の制御系統の構成を示すブロック図であり、図２では図１と同一部分を同一符号で示している。  
図２において、紙幣識別装置１は、制御部（ＭＰＵ）３と、第一のセンサーＡ、第一のＬＥＤ駆動回路１２、第一のＰＤ（Photo detector）出力増幅回路１３、第一の調光ミラーガラス２１、第一の調光ミラーガラス制御回路２２、第二のセンサーＢ、第二のＬＥＤ駆動回路１７、第二のＰＤ出力増幅回路１８、第二の調光ミラーガラス２６、第二の調光ミラーガラス制御回路２７と、図示せぬメモリを具備して構成される。
【００１３】
また、第一のＬＥＤ駆動回路１２は、第一のセンサーＡの発光素子Ａ１を駆動させる回路である。また、第一のＰＤ出力増幅回路１３は、第一のセンサーＡの受光素子Ａ２からの出力を増幅させる回路である。また、第一の調光ミラーガラス制御回路２２は、第一の調光ミラーガラス２１を、ミラーモード、透明モードのいずれか一方のモードにさせる回路である。  
また、第二のＬＥＤ駆動回路１７は、第二のセンサーＢの発光素子Ｂ１を駆動させる回路である。また、第二のＰＤ出力増幅回路１８は、第二のセンサーＢの受光素子Ｂ２からの出力を増幅させる回路である。また、第二の調光ミラーガラス制御回路２７は、第二の調光ミラーガラス２６を、ミラーモード、透明モードのいずれか一方のモードにさせる回路である。
【００１４】
なお、上記メモリには、第一のセンサーＡの出力電圧の規定値、第一のセンサーＡの駆動電流の規定範囲（正常に駆動する電流の値の範囲）、第二のセンサーＢの出力電圧の規定値、および第二のセンサーＢの駆動電流の規定範囲（正常に駆動する電流の値の範囲）が予め記憶されている。  
また、上記メモリには、第一のセンサーＡの発光素子Ａ１を駆動する駆動電流の初期値が予め記憶されており、また第一のセンサーＡの出力調整後は、該調整後の駆動電流値が記憶される。また、上記メモリには、第二のセンサーＢの発光素子Ｂ１を駆動する駆動電流の初期値が予め記憶されており、また第二のセンサーＢの出力調整後は、該調整後の駆動電流値が記憶される。
【００１５】
ＭＰＵ３は、上記メモリに記憶された発光素子Ａ１の駆動電流の初期値、出力調整後の紙幣識別の際には調整後の駆動電流値を第一のＬＥＤ駆動回路１２にセットする。またＭＰＵ３は、上記メモリに記憶された発光素子Ｂ１の駆動電流の初期値、出力調整後の紙幣識別の際には調整後の駆動電流値を第二のＬＥＤ駆動回路１７にセットする。また、ＭＰＵ３は、第一の調整ミラーガラス制御回路２２および第二の調整ミラーガラス制御回路２７を駆動する。また、ＭＰＵ３には、第一のＰＤ出力増幅回路１３及び第二のＰＤ出力増幅回路１８から検出信号が入力される。
【００１６】
次に、図３を参照して紙幣識別装置１の動作をさらに説明する。  
図３は、本願発明の第一実施例の紙幣識別装置１の動作の流れを示すフローチャートであり、図３では、図１及び図２と同一部分を同一符号で示している。
【００１７】
第一実施例の紙幣識別装置１では、第一のセンサーＡと第二のセンサーＢの双方の出力を調整するが、ここではまず、第一のセンサーＡの出力を調整する。  
第一のセンサーＡの出力を調整する場合、ＭＰＵ３（図２）は第一の調整ミラーガラス制御回路２２を駆動し、これにより第一のセンサーＡを覆う第一の調光ミラーガラス２１を透明モードにセットする（ステップ１０１）。次に、ＭＰＵ３は第二の調整ミラーガラス制御回路２７を駆動し、これにより第二のセンサーＢを覆う第二の調光ミラーガラス２６をミラーモードにセットする（ステップ１０２）。  
次に、ＭＰＵ３は第一のＬＥＤ駆動回路１２を介し第一のセンサーＡの発光素子Ａ１を、初期値である所定の駆動電流値により駆動する（ステップ１０３）。  
すると、図１で示すように発光素子Ａ１から光Ｃが放射される。ここで、第一の調光ミラーガラス２１は透明モードであるから、発光素子Ａ１から放射された光Ｃは、第一の調光ミラーガラス２１を透過する。また、第二の調光ミラーガラス２６はミラーモードであるから、発光素子Ａ１から放射された光Ｃは、第二の調光ミラーガラス２６に照射して該第二の調光ミラーガラス２６によって反射する。また、その反射光Ｃは、透明モードの第一の調光ミラーガラス２１を透過する。そして、該反射光Ｃを受光素子Ａ２が検出する。また、その検出結果は、第一のＰＤ出力増幅回路１３を介しＭＰＵ３に入力される。  
次に、入力された検出結果に基づき、ＭＰＵ３は第一のセンサーＡの出力電圧が規定値であるか否かを判断する（ステップ１０４）。ここで、第一のセンサーＡの出力電圧が規定値である場合には（ステップ１０４でＹＥＳ）、第一のセンサーＡの発光素子Ａ１の駆動電流の値を変更する必要がないので、該駆動電流値を上記メモリにセーブ（記憶）する（ステップ１０７）。  
そしてＭＰＵ３は、第一のＬＥＤ駆動回路１２に電流値ゼロをセットし、これにより第一のセンサーＡの発光素子Ａ１の発光を停止させる（ステップ１０８）。  
なお、上記メモリにセーブされた発光素子Ａ１の駆動電流の値は、紙幣のデータを測定し紙幣を識別する際の基準とされる。
【００１８】
一方、第一のセンサーＡの出力電圧が規定値でない場合（ステップ１０４でＮＯ）、ＭＰＵ３は、第一のセンサーＡの発光素子Ａ１の駆動電流の新たな値を算出する。  
具体的には、第一のセンサーＡの出力電圧が上記規定値より大きい場合は、ＭＰＵ３は、その時点で第一のＬＥＤ駆動回路１２にセットされている電流の値よりも小さい値を算出する。第一のセンサーＡの出力電圧が上記規定値より小さい場合は、ＭＰＵ３による計算によって、その時点で第一のＬＥＤ駆動回路１２にセットされている電流の値よりも大きい値を算出する。   
そして、ＭＰＵ３は、算出した値が、第一のセンサーＡを正常に駆動する電流値の範囲（規定範囲）内であるかを判断する（ステップ１０５）。そして、算出した値の駆動電流が上記範囲（規定範囲）内である場合には（ステップ１０５でＹＥＳ）、算出した第一のセンサーＡの発光素子Ａ１の駆動電流の値を、第一のＬＥＤ駆動回路１２にセットして発光素子Ａ１を駆動する（ステップ１０６）。次に、第一のセンサーＡの出力電圧が規定値であるか否かをＭＰＵ３が判断する上記処理（ステップ１０４）に移行し、第一のセンサーＡの出力電圧が規定値になるまでステップ１０４〜１０６の処理を行う。
【００１９】
一方、ＭＰＵ３において上記算出した値の駆動電流値が規定範囲内でない場合には（ステップ１０５でＮＯ）、第一のセンサーＡの発光素子Ａ１の不具合又は第一のＰＤ出力増幅回路１３の不具合により異常状態であると判断して終了する。
【００２０】
次に、第二のセンサーＢの出力を調整する。  
第二のセンサーＢの出力を調整する場合、ＭＰＵ３は第二の調整ミラーガラス制御回路２７を駆動し、これにより第二のセンサーＢを覆う第二の調光ミラーガラス２６を透明モードにセットする（ステップ１０９）。次にＭＰＵ３は第一の調整ミラーガラス制御回路２２を駆動し、これにより第一のセンサーＡを覆う第一の調光ミラーガラス２１をミラーモードにセットする（ステップ１１０）。  
次に、ＭＰＵ３は第二のＬＥＤ駆動回路１７を介し第二のセンサーＢの発光素子Ｂ１を、初期値である所定の駆動電流値により駆動する（ステップ１１１）。  
すると、図４で示すように発光素子Ｂ１から光Ｃが放射される。ここで、第二の調光ミラーガラス２６は透明モードであるから、発光素子Ｂ１から放射された光Ｃは、第二の調光ミラーガラス２６を透過する。また、第一の調光ミラーガラス２１はミラーモードであるから、発光素子Ｂ１から放射された光Ｃは、第一の調光ミラーガラス２１に照射して該第一の調光ミラーガラス２１によって反射する。また、その反射光Ｃは、透明モードの第二の調光ミラーガラス２６を透過する。そして、該反射光Ｃを受光素子Ｂ２が検出する。また、その検出結果は、第二のＰＤ出力増幅回路１８を介しＭＰＵ３に入力される。  
次に、入力された検出結果に基づき、ＭＰＵ３は第二のセンサーＢの出力電圧が規定値であるか否かを判断する（ステップ１１２）。ここで、第二のセンサーＢの出力電圧が規定値である場合には（ステップ１１２でＹＥＳ）、第二のセンサーＢの発光素子Ｂ１の駆動電流の値を変更する必要がないので、該駆動電流値を上記メモリにセーブする（ステップ１１５）。そして、ＭＰＵ３は、第二のＬＥＤ駆動回路１７に電流値ゼロをセットし、これにより第二のセンサーＢの発光素子Ｂ１の発光を停止させる（ステップ１１６）。  
なお、上記メモリにセーブされた発光素子Ｂ１の駆動電流の値は、紙幣のデータを測定し紙幣を識別する際の基準とされる。
【００２１】
なお、発光素子Ｂ１の発光停止の後、紙幣の識別処理に備えるため、ＭＰＵ３は第一の調光ミラーガラス制御回路２２を介し第一のセンサーＡの調光ミラーガラス２１を透明モードにする（ステップ１１７）。
【００２２】
一方、第二のセンサーＢの出力電圧が規定値でない場合（ステップ１１２でＮＯ）、ＭＰＵ３は、第二のセンサーＢの発光素子Ｂ１の駆動電流の新たな値を算出する。  
具体的には、第二のセンサーＢの出力電圧が規定値より大きい場合は、ＭＰＵ３は、その時点で第二のＬＥＤ駆動回路１７にセットされている電流の値よりも小さい値を算出する。第二のセンサーＢの出力電圧が規定値より小さい場合は、ＭＰＵ３による計算によって、その時点で第二のＬＥＤ駆動回路１７にセットされている電流の値よりも大きい値を算出する。 
そして、ＭＰＵ３は、算出した値が、第二のセンサーＢを正常に駆動する電流の値の範囲（規定範囲）内であるかを判断する（ステップ１１３）。そして、算出した値の駆動電流が上記範囲（規定範囲）内である場合には（ステップ１１３でＹＥＳ）、算出した第二のセンサーＢの発光素子Ｂ１の駆動電流の値を、第二のＬＥＤ駆動回路１７にセットして発光素子Ｂ１を駆動する（ステップ１１４）。次に、第二のセンサーＢの出力電圧が規定値であるか否かをＭＰＵ３が判断する上記処理（ステップ１１２）に移行し、第二のセンサーＢの出力電圧が規定値になるまでステップ１１２〜１１４の処理を行う。
【００２３】
一方、ＭＰＵ３において算出した値の駆動電流値が規定範囲内でない場合には（ステップ１１３でＮＯ）、第二のセンサーＢの発光素子Ｂ１の不具合又は第二のＰＤ出力増幅回路１８の不具合により異常状態であると判断して終了する。  
なお、上記した図４は、この発明の第一実施例の紙幣識別装置の要部概念断面図であり、特に第二のセンサーの出力調整をする動作を示す図である。
【００２４】
また、上述したように第一のセンサーＡ及び第二のセンサーＢの出力調整を行った後、この紙幣識別装置１では、紙幣の識別処理を行う。  
その紙幣の識別処理は、まず発光素子Ａ１から、透明モードにされた第一の調光ミラーガラス２１を介し紙幣搬送路を通過している紙幣に光を照射し、該紙幣からの反射光を受光素子Ｂ１で検出する。次に、第二の調光ミラーガラス２６を透明モードにセットし、発光素子Ｂ１から、該第二の調光ミラーガラス２６を介し、紙幣搬送路を通過している紙幣に光を照射し該紙幣からの反射光を受光素子Ｂ２で検出する。そして受光素子Ａ２及び受光素子Ｂ２からの各検出結果からＭＰＵ３は紙幣の真偽を判別する。  
また、その紙幣の真偽の判別では、上記出力調整作業によって調整され上記メモリに記憶された第一のセンサーＡの駆動電流値、第二のセンサーＢの駆動電流値によりそれぞれ駆動された第一のセンサーＡ、第二のセンサーＢによって、紙幣のデータが検出されるので、紙幣の真偽判別が可及的に正確に行われる。
【００２５】
以上で説明したように、この第一実施例の紙幣識別装置１では、第一のセンサーＡにより紙幣の正偽を識別する紙幣識別装置において、該第一のセンサーＡを、ミラーモードと透明モードとに選択可能な調光ミラーガラスで覆うようにしているから、第一のセンサーＡの出力調整作業を、基準紙である反射部材を紙幣投入口から投入して紙幣搬送路２内を搬送させる従来の動作をすることなく行うことができ、そのため該調整作業を任意の場所や時期に行うことができる。  
なお、第二のセンサーＢも、第一のセンサーＡと同様に、調光ミラーガラス２６で覆うようにしたから、第二のセンサーＢの出力調整作業を、反射部材を紙幣投入口から投入して紙幣搬送路２内を搬送させる従来の動作をすることなく行うことができ、そのため該調整作業を任意の場所や時期に行うことができる。
【００２６】
また、第一実施例の紙幣識別装置１では、第一のセンサーＡ及び第二のセンサーＢにより紙幣の正偽を識別する紙幣識別装置において、第一のセンサーＡと第二のセンサーＢを、反射型光センサーとして紙幣搬送路に相対するように一対に配置するとともに、該第一のセンサーＡ及び第二のセンサーＢをいずれも調光ミラーガラスで覆うようにしているから、第一のセンサーＡの出力を調整する場合は、該第一のセンサーＡを覆う第一の調光ミラーガラス２１を透明モードにするとともに第二のセンサーＢを覆う第二の調光ミラーガラス２６をミラーモードにし、第一のセンサーＡから照射する光を、第二のセンサーＢのミラーモードの調光ミラーガラス２６に照射させ、該照射による反射光により前記出力を調整することができ、また第二のセンサーＢの出力を調整する場合は、該第二のセンサーＢを覆う第二の調光ミラーガラス２６を透明モードにするとともに第一のセンサーＡを覆う第一の調光ミラーガラス２１をミラーモードにし、第二のセンサーＢから照射する光を、第一のセンサーＡのミラーモードの調光ミラーガラス２１に照射させ、該照射による反射光により前記出力を調整することができる。  
そして、この第一のセンサーＡの出力調整作業、第二のセンサーＢの出力調整作業は、いずれも基準紙である反射部材を紙幣投入口から投入して紙幣搬送路２内を搬送させる従来の動作を必要としない。したがって、任意の場所や時期に、第一のセンサーＡの出力調整作業、第二のセンサーＢの出力調整作業をそれぞれ行うことができる。
【００２７】
なお、第一の実施例の紙幣識別装置１では、第一のセンサーＡの発光素子Ａ１及び受光素子Ａ２とは、紙幣搬送路２に対し同じ側に配置されていればよく互いの設置角度に限定はないが、図１で示すように第一のセンサーＡの出力調整の際、第二の調光ミラーガラス２６からの反射光Ｃが受光素子Ａ２の面となす角度が略９０度となるように発光素子Ａ１及び受光素子Ａ２を配置すると、受光素子Ａ２は多くの反射光を取り込むことができるので効率的である。同様に、第二のセンサーＢの発光素子Ｂ１及び受光素子Ｂ２とは、紙幣搬送路２に対し同じ側に配置されていればよく互いの設置角度に限定はないが、図４で示すように第二のセンサーＢの出力調整の際、第一の調光ミラーガラス２１からの反射光Ｃが受光素子Ｂ２の面となす角度が略９０度となるように発光素子Ｂ１及び受光素子Ｂ２を配置すると、受光素子Ｂ２は多くの反射光を取り込むことができるので効率的である。
【００２８】
また、第一実施例の紙幣識別装置１は、出力調整手段の構成要素である調光ミラーガラス２１、２６によって紙幣搬送路２の一部を構成することができ、また出力調整手段として複雑な可動機構も必要としない点で有効である。
【００２９】
また、第一のセンサーＡと第一の調光ミラーガラス２１とをユニット化することができ、また第二のセンサーＢと第二の調光ミラーガラスＡとをユニット化することもできる。
【００３０】
なお、第一実施例の紙幣識別装置１では、反射型光センサーである第一センサーＡおよび第二のセンサーＢを紙幣搬送路２に相対するように一対に配置することとしたが、この発明の紙幣識別装置では、反射型光センサーの配設する数は限定がなく、たとえば、下記に示す第二実施例の紙幣識別装置３１のように、紙幣識別センサーを紙幣搬送路２の片側に一つ配置するようにしたものであってもよい。  
【実施例２】
【００３１】
図５は、この発明の第二実施例の紙幣識別装置の要部概念断面図であり、図５では図１乃至図４と同一部分を同一符号で示している。
【００３２】
図５で示すように、第二実施例の紙幣識別装置３１には、第一のセンサーＡのみが紙幣搬送路２の片側に配設されている。この第一のセンサーＡは調光ミラーガラス２１で覆われている。また、この第一のセンサーＡは、反射型光センサーとして用いられる。
【００３３】
この第一のセンサーＡの出力を調整するには、調光ミラーガラス２１をミラーモードにし、第一のセンサーＡから照射する光を、ミラーモードの調光ミラーガラス２１に照射させ、該照射による反射光により、反射型光センサーＡの出力を調整する。
【００３４】
このように第二実施例の紙幣識別装置３１では、第一のセンサーＡにより紙幣の正偽を識別する紙幣識別装置において、該第一のセンサーＡを調光ミラーガラスで覆うようにしているから、第一のセンサーＡの出力調整作業を、基準紙である反射部材を紙幣投入口から投入して紙幣搬送路２内に搬送させる従来の動作をすることなく行うことができ、そのため該調整作業を任意の場所や時期に行うことができる。
【００３５】
また、第二実施例の紙幣識別装置３１では、出力調整手段の構成要素である調光ミラーガラス２１によって紙幣搬送路２の一部を構成することができる点、および出力調整手段として複雑な可動機構も必要としない点、第一のセンサーＡと第一の調光ミラーガラス２１とをユニット化することができる点は、第一実施例の紙幣識別装置１と同様である。
【００３６】
なお、第二実施例の紙幣識別装置３１又は第一実施例の紙幣識別装置１において、反射型光センサーの出力調整作業は、紙幣が該反射型光センサーに達していなければいつでもよく、例えば紙幣識別装置の紙幣挿入口に紙幣が挿入されたことを検知した直後であってもよい。
【産業上の利用可能性】
【００３７】
本願発明は、自動販売機等の機器本体内に配置され、内部に反射型光センサーの出力調整手段を具えた紙幣識別装置であって、任意の場所や時期に該出力調整を行うことができるものとして有用である。また、本願発明は紙幣に限らず紙葉類を識別する識別装置に適用することができる。
【図面の簡単な説明】
【００３８】
【図１】図１は、この発明の第一実施例の紙幣識別装置の要部概念断面図であり、特に第一のセンサーの出力を調整する動作を示す図である。
【図２】図２は、この発明の第一実施例の紙幣識別装置の制御系統の構成を示すブロック図である。
【図３】図３は、この発明の第一実施例の紙幣識別装置の動作の流れを示すフローチャートでる。
【図４】図４は、この発明の第一実施例の紙幣識別装置の要部概念断面図であり、特に第二のセンサーの出力調整をする動作を示す図。
【図５】図５は、この発明の第二実施例の紙幣識別装置の要部概念断面図である。
【符号の説明】
【００３９】
１、３１…紙幣識別装置
２…紙幣搬送路
２１、２６…調光ミラーガラス
２１…一方の反射型光センサーを覆う調光ミラーガラス（第一の調光ミラーガラス）
２６…他方の反射型光センサーを覆う調光ミラーガラス（第二の調光ミラーガラス）
Ａ、Ｂ…紙幣識別センサー
Ａ、Ｂ…反射型光センサー
Ａ…一方の反射型光センサー（第一の紙幣識別用の光センサー）
Ｂ…他方の反射型光センサー（第二の紙幣識別用の光センサー）
Ｃ…光
【図１】
2007280027.tif 000003
【図２】
2007280027.tif 000004
【図３】
2007280027.tif 000005
【図４】
2007280027.tif 000006
【図５】
2007280027.tif 000007